(57)【特許請求の範囲】
【請求項１】
高分子材料製の射出成形品であり、外径側部材に設けた断面形状が円形の孔の内周面に円周方向に亙って配置された複数本のニードルの内径側に押し込み可能な円筒状部と、この円筒状部の内周面の軸方向中間部に、この内周面から径方向内方に突出する状態で設けられた補強板部とを備えたニードル保持具に於いて、
前記円筒状部の外周面が、軸方向中間部に存在して、外径が軸方向に関して変化しない円筒面と、この円筒面を挟んだ軸方向両側に存在して、この円筒面から離れるに従って外径が漸次小さくなる方向に傾斜した１対のガイドテーパ面とから構成されており、
前記補強板部が、前記円筒状部の内周面のうち、軸方向に関して前記円筒面と整合する部分に設けられており、
前記円筒状部の内周面のうちで、この補強板部が設けられた部分から外れた部分に、径方向に突出する突条部が存在せず、
前記円筒状部の内周面のうち、前記補強板部よりも軸方向一端側部分を、この補強板部寄りの奥端側から前記円筒状部の一端側開口に向かうに従って内径が漸次大きくなる方向に傾斜した第一テーパ面とし、前記補強板部よりも軸方向他端側部分を、この補強板部寄りの奥端側から前記円筒状部の他端側開口に向かうに従って内径が漸次小さくなる方向に傾斜した第二テーパ面とすると共に、
前記第一テーパ面の表面粗さの値に比べて、前記第二テーパ面の表面粗さの値を大きくする事により、
高分子材料を射出成形する為の金型を引き抜く事に対する抵抗を、前記円筒状部のうち前記補強板部を境として、軸方向一端側部分よりも他端側部分で大きくした事を特徴とするニードル保持具。
【請求項２】
高分子材料製の射出成形品であり、外径側部材に設けた断面形状が円形の孔の内周面に円周方向に亙って配置された複数本のニードルの内径側に押し込み可能な円筒状部と、この円筒状部の内周面の軸方向中間部に、この内周面から径方向内方に突出する状態で設けられた補強板部とを備えたニードル保持具に於いて、
前記円筒状部の外周面が、軸方向中間部に存在して、外径が軸方向に関して変化しない円筒面と、この円筒面を挟んだ軸方向両側に存在して、この円筒面から離れるに従って外径が漸次小さくなる方向に傾斜した１対のガイドテーパ面とから構成されており、
前記補強板部が、前記円筒状部の内周面のうち、軸方向に関して前記円筒面と整合する部分に設けられており、
前記円筒状部の内周面のうちで、この補強板部が設けられた部分から外れた部分に、径方向に突出する突条部が存在せず、
前記円筒状部の内周面のうち、前記補強板部よりも軸方向一端側部分を、この補強板部寄りの奥端側から前記円筒状部の一端側開口に向かうに従って内径が漸次大きくなる方向に傾斜したテーパ面とし、前記補強板部よりも軸方向他端側部分を、内径が軸方向に関して変化しない内側円筒面とすると共に、
前記テーパ面の表面粗さの値に比べて、前記内側円筒面の表面粗さの値を大きくする事により、
高分子材料を射出成形する為の金型を引き抜く事に対する抵抗を、前記円筒状部のうち前記補強板部を境として、軸方向一端側部分よりも他端側部分で大きくした事を特徴とするニードル保持具。
【発明の詳細な説明】
【技術分野】
【０００１】
この発明は、例えば自動車用エンジンの燃料消費率の低減を目的としてエンジンの動弁機構中に組み込むカムフォロア装置を構成するカムフォロアの輸送時乃至組み立て作業時に使用する、ニードル保持具の改良に関する。
【背景技術】
【０００２】
自動車の駆動用等に使用するエンジンの動弁機構部分で発生する摩擦抵抗を低減して、このエンジンの燃費性能を向上させる為に、この動弁機構を構成するカムフォロア（円筒状ローラ）を、ロッカーアームに設けた支持軸に対し、ラジアルニードル軸受を介して回転自在に支持する事が、例えば特許文献１〜３等に記載されており、且つ、広く行われている。図９は、このうちの特許文献２に記載された、従来構造の１例を示している。図示の例では、ロッカーアーム１は、カムシャフト２の回転に伴ってラッシュアジャスタ３の先端部を中心として往復揺動し、弁杆４を軸方向に変位させる。前記ロッカーアーム１の中間部にその両端部を支持固定した支持軸５の周囲に、特許請求の範囲に記載した外径側部材である、円筒状のカムフォロア６を、ラジアルニードル軸受７により回転自在に支持している。そして、このカムフォロア６の外周面と、前記カムシャフト２に固設したカム８の外周面とを転がり接触させている。
【０００３】
上述の様なラジアルニードル軸受７を備えた動弁機構を構成するカムフォロア６を、軸受メーカーから出荷する際には、このカムフォロア６の内周面に複数本のニードル９、９を、グリースにより貼着しておく。尚、このカムフォロア６の中心孔が、特許請求の範囲に記載した、外径側部材に設けた断面形状が円形の孔に対応する。更に、前記各ニードル９、９の内径側には、図１０に示す様に、ニードル保持具１１を、軽い締り嵌めで嵌合しておく。この理由は、互いに組み合わせた前記カムフォロア６の内周面に貼着した前記各ニードル９、９が、軸受メーカーからカムフォロアユニットの組立工場への輸送中や、前記動弁機構の組み立て作業時に脱落する事を防止する為である。
【０００４】
前記動弁機構を組み立てるには、上述の様な、前記カムフォロア６と前記各ニードル９、９と前記ニードル保持具１１とを組み合わせて成るカムフォロアユニット１２を、図１０に示す様に、前記ロッカーアーム１を構成する１対の側板部１０、１０同士の間に配置すると共に、これら両側板部１０、１０に形成した支持孔１３、１３と、前記各ニードル９、９の内径側部分に存在する円柱状空間の両端開口とを整合させる。そして、これら両支持孔１３、１３及び円柱状空間に、前記支持軸５を挿通する。前記ニードル保持具１１は、この支持軸５の挿通作業の進行に伴って、挿通方向前方（図１０の右方）に存在する支持孔１３から前記ロッカーアーム１外に押し出す。その後、前記支持軸５の両端部を前記両支持孔１３、１３に内嵌すると共に、かしめ等により前記両側板部１０、１０に対し固定する。
【０００５】
特許文献２に記載された、前記ニードル保持具１１は、合成樹脂等の弾性材料を射出成形する事により一体に形成したもので、円筒状部１４と補強板部１５とを備える。このうちの円筒状部１４は、前記各ニードル９、９の内径側部分に存在する円柱状空間に押し込み可能である。又、前記補強板部１５は、前記円筒状部１４の内周面の軸方向中間部に、この円筒状部１４の内径側を塞ぐ状態で設けられている。又、この円筒状部１４の内周面のうちで、前記補強板部１５の片側部分には、突条部１６を形成している。
【０００６】
上述の様なニードル保持具１１は、図１１に示す様な金型装置１７により造る。この金型装置１７は、互いに突き合わされる第一、第二両金型１８、１９と、このうちの第一金型１８の内側に挿通される第三金型２０とから成る。このうちの第三金型２０の先端部外周面に、凹溝２１が形成されている。前記ニードル保持具１１を射出成形する際には、これら各金型１８〜２０を図１１に示した状態に組み合わせて形成したキャビティ２２内に、溶融樹脂を送り込む。そして、この溶融樹脂が冷却・固化する事で、前記ニードル保持具１１が形成された後、前記第一、第二両金型１８、１９同士を離隔させると共に、前記第三金型２０を引き抜く。この第三金型２０と前記ニードル保持具１１とが、前記凹溝２１と前記突条部１６とで係合する為、このニードル保持具１１が、前記第二金型１９と共に移動する事はなく、このニードル保持具１１の取り出しを安定して行える。
【０００７】
但し、上述の図１０〜１１に示した様なニードル保持具１１の場合、前記ニードル保持具１１の取り出しを安定させる為には、突条部１６の高さ寸法を或る程度大きくする必要がある。但し、この高さ寸法を大きくすると、前記円筒状部１４から前記第三金型２０を引き抜く際に、完成直後で未だ軟らかい、前記ニードル保持具１１の内周面に設けた前記突条部１６が損傷する可能性がある。そして、この突条部１６が損傷する結果生じた小片が、前記キャビティ２２内に残留すると、後から造られるニードル保持具１１の品質が悪化する可能性がある。
【先行技術文献】
【特許文献】
【０００８】
【特許文献１】特開平３−９２６２１号公報
【特許文献２】特開２００２−３９２０１号公報
【特許文献３】実開平５−１４６４３号公報
【発明の概要】
【発明が解決しようとする課題】
【０００９】
本発明は、上述の様な事情に鑑みて、品質の良好なニードル保持具を安定して造れる構造を実現すべく発明したものである。
【課題を解決するための手段】
【００１０】
本発明のニードル保持具は何れも、前述した従来から知られているニードル保持具と同様に、合成樹脂、ゴム、ビニル等の高分子材料製の射出成形品であり、円筒状部と補強板部とを備える。
このうちの円筒状部は、カムフォロア等の外径側部材に設けた断面形状が円形の孔の内周面に円周方向に亙って配置された、複数本のニードルの内径側に押し込み可能である。
又、前記補強板部は、前記円筒状部の内周面の軸方向中間部に、この内周面から径方向内方に突出する状態で設けられている。
【００１１】
特に、本発明のニードル保持具に於いては、前記円筒状部の外周面を、軸方向中間部に存在して、外径が軸方向に関して変化しない円筒面と、この円筒面を挟んだ軸方向両側に存在して、この円筒面から離れるに従って外径が漸次小さくなる方向に傾斜した１対のガイドテーパ面とから構成している。又、前記補強板部を、前記円筒状部の内周面のうち、軸方向に関して前記円筒面と整合する部分に設けている。
又、本発明のニードル保持部の場合には、前記円筒状部の内周面のうちで、前記補強板部が設けられた部分から外れた部分に、径方向に突出する突条部が存在しない。
且つ、前記高分子材料を射出成形する為の金型を引き抜く事に対する抵抗が、前記円筒状部のうち前記補強板部を境として、軸方向一端側部分よりも他端側部分で大きい。
【００１２】
この為に、請求項１に記載した発明の場合には、追加的に、前記円筒状部の内周面のうち、前記補強板部よりも軸方向一端側部分を、この補強板部寄りの奥端側から前記円筒状部の一端側開口に向かうに従って内径が漸次大きくなる方向に傾斜した第一テーパ面とする。
これに対して、前記補強板部よりも軸方向他端側部分を、この補強板部寄りの奥端側から前記円筒状部の他端側開口に向かうに従って内径が漸次小さくなる方向に傾斜した第二テーパ面とする。
更に、前記第一テーパ面の表面粗さの値に比べて、前記第二テーパ面の表面粗さの値を大きくする。
【００１３】
又、請求項２に記載した発明の場合には、追加的に、前記円筒状部の内周面のうち、前記補強板部よりも軸方向一端側部分を、この補強板部寄りの奥端側から前記円筒状部の一端側開口に向かうに従って内径が漸次大きくなる方向に傾斜したテーパ面とする。
これに対して、前記補強板部よりも軸方向他端側部分（この補強板部寄りの奥端周縁部の面取り部分を除く）を、内径が軸方向に関して変化しない内側円筒面とする。
更に、前記テーパ面の表面粗さの値に比べて、この内側円筒面の表面粗さの値を大きくする。
【００１４】
又、本発明の技術的範囲からは外れるが、追加的に、前記円筒状部の内周面を、前記補強板部の両側部分（この補強板部の奥端周縁部の面取り部分を除く）で、何れも内径が軸方向に関して変化しない円筒面とする事もできる。
そして、前記補強板部よりも軸方向一端側部分の内周面の表面粗さの値に比べて、同じく他端側部分の内周面の表面粗さの値を大きくする。
【００１５】
又、本発明を実施する場合に、前記補強板部の形状に関しては、例えば、前記円筒状部の内径側部分全体を塞ぐ円板状とするか、或いは、前記円筒状部の内径側部分のうちの外径寄り部分を塞ぐ円輪状とする構成を追加的に採用する事ができる。
【発明の効果】
【００１６】
上述の様に構成する本発明のニードル保持具の場合には、円筒状部の内周面に径方向に突出する突条部を設ける事なく、射出成形時に金型を引き抜く事に対する抵抗を、補強板部の両側で異ならせている。この為、品質の良好なニードル保持具を、安定して造れる。
【図面の簡単な説明】
【００１７】
【図１】本発明の実施の形態の第１例を示す断面図。
【図２】同じく射出成形時の状態を示す断面図。
【図３】本発明の実施の形態の第２例を示す断面図。
【図４】同じく射出成形時の状態を示す断面図。
【図５】本発明の実施の形態の第３例を示す断面図。
【図６】同じく射出成形時の状態を示す断面図。
【図７】本発明に関する参考例を示す断面図。
【図８】同じく射出成形時の状態を示す断面図。
【図９】カムフォロアを組み込んだエンジンの動弁機構の１例を示す断面図。
【図１０】従来のニードル保持具を使用してロッカーアームにカムフォロアを組み付ける際の状態を示す、図９のＡ−Ａ断面に相当する図。
【図１１】従来のニードル保持具の射出成形時の状態を示す断面図。
【発明を実施するための形態】
【００１８】
［実施の形態の第１例］
図１〜２は、請求項１に対応する、本発明の実施の形態の第１例を示している。本例のニードル保持具１１ａは、合成樹脂、ゴム、ビニル等の高分子材料を射出成形して成るもので、円筒状部１４ａと補強板部１５ａとを備える。
このうちの円筒状部１４ａの外周面は、円筒面２３と１対のガイドテーパ面２４、２４とを、断面形状が部分円弧状である曲面により滑らかに連続させた、複合曲面としている。前記円筒面２３は、前記円筒状部１４ａの外周面の軸方向中間部に存在して、外径が軸方向に関して変化しない。又、前記両ガイドテーパ面２４、２４は、前記円筒状部１４ａの外周面の軸方向両端寄り部分に存在して、前記円筒面２３から離れるに従って外径が漸次小さくなる方向に傾斜している。この様な円筒状部１４ａは、外径側部材であるカムフォロア６の中心孔の内周面に円周方向に並べて配置された（この内周面にグリースにより貼着保持された）、複数本のニードル９、９（図９〜１０参照）の内径側に押し込み可能である。即ち、前記円筒状部１４ａのうち、前記円筒面２３の自由状態での外径は、前記カムフォロア６の中心孔の内周面にそれぞれの転動面を当接させた、前記各ニードル９、９の内接円の直径と同じか、これよりも僅かに大きい。
【００１９】
又、前記補強板部１５ａは、前記円筒状部１４ａの内周面の軸方向中間部に、この内周面から径方向内方に突出する状態で設けられている。本例の場合には、前記補強板部１５ａを、前記円筒状部１４ａの内径側部分全体を塞ぐ円板状としている。そして、前記円筒状部１４ａの内周面を、前記補強板部１５ａを境として、軸方向一端側部分（図１〜２の右側部分）と同じく他端側部分（同じく左側部分）とに２分割している。この様に、前記補強板部１５ａにより２分割された、前記円筒状部１４ａの内周面の何れの部分にも、前記図１０〜１１に示した従来構造の様な、軸方向に隣接する部分よりも径方向内方に大きく（テーパ面を形成する傾斜に基づく分を超えて）突出する突条部１６は存在しない。
【００２０】
但し、本例の場合には、前記補強板部１５ａにより２分割された、前記円筒状部１４ａの内周面を、何れも軸方向に関して内径が漸次変化するテーパ面としている。但し、これら両テーパ面の傾斜方向は、前記補強板部１５ａを境として互いに逆方向としている。即ち、前記円筒状部１４ａの内周面のうち、前記補強板部１５ａよりも軸方向一端側部分を、図１〜２に傾斜角度を誇張して示す様に、この補強板部１５ａ寄りの奥端側から前記円筒状部１４ａの一端側開口に向かうに従って内径が漸次大きくなる方向に傾斜した、第一テーパ面２５としている。これに対して、前記補強板部１５ａよりも軸方向他端側部分を、図１〜２に傾斜角度を誇張して示す様に、前記補強板部１５ａ寄りの奥端側から前記円筒状部１４ａの他端側開口に向かうに従って内径が漸次小さくなる方向に傾斜した、第二テーパ面２６としている。
【００２１】
上述の様な本例のニードル保持具１１ａは、図２に示す様な金型装置１７ａにより造る。この金型装置１７ａは、互いに突き合わされる第一、第二両金型１８ａ、１９ａと、このうちの第一金型１８ａの内側に挿通される第三金型２０ａとから成る。このうちの第三金型２０ａの先端部外周面（先端外周縁部分の面取り部分を除く）は、図２に傾斜角度を誇張して示す様に、先端面に向かうに従って外径が大きくなる方向に傾斜した、部分円すい状の凸曲面としている。この凸曲面には、軸方向に隣接する部分に比べて、前記外径が変化する程度を超えて径方向内方に凹む様な凹溝は設けられていない。
【００２２】
前記ニードル保持具１１ａを射出成形する際には、前記各金型１８ａ〜２０ａを図２に示した状態に組み合わせて形成したキャビティ２２ａ内に、加熱した熱可塑性の合成樹脂等の溶融樹脂を送り込む。そして、この溶融樹脂をこのキャビティ２２ａ内で冷却・固化させる事で、前記ニードル保持具１１ａを形成する。形成後にこのニードル保持具１１ａを前記金型装置１７ａから取り出すには、先ず、前記第二金型１９ａを図２の右方に退避させる。この際、前記第三金型２０ａの先端部外周面と前記第二テーパ面２６との係合に基づき、前記ニードル保持具１１ａは、前記第一、第三両金型１８ａ、２０ａの側に留まる。言い換えれば、このニードル保持具１１ａが前記第二金型１９ａと共に、図２の右方に変位する事はない。
【００２３】
そこで、前記第一金型１８ａを図２の左方に退避させた後、前記ニードル保持具１１ａを前記第三金型２０ａの周囲から軸方向に抜き取る。この状態で、前記第二テーパ面２６をその内周面に有する、前記円筒状部１４ａの軸方向他端側部分の周囲には、前記第一金型１８ａは存在しない。又、前記第二テーパ面２６の傾斜角度は、例えば１〜２度程度、大きくても５度程度の僅かな値でも十分であり、図１〜２に誇張して示す程に大きな傾斜角度を持たせる必要はない。即ち、前記第一テーパ面２５には、前記ニードル保持具１１ａの内径側から前記第二金型１９ａを抜き取り易くする為に、例えば２〜５度程度の抜き勾配を持たせているのに対して、前記第二テーパ面２６には、前記ニードル保持具１１ａの内径側から前記第三金型２０ａを抜き取る事に対する抵抗を大きくする方向の勾配を持たせている。従って、前記第二テーパ面２６の傾斜角度を、上述の様に小さな値としても、前記ニードル保持具１１ａを射出成形する為の金型装置１７ａを構成する前記各金型１８ａ〜２０ａのうち、第一、第三両金型１８ａ、２０ａと前記ニードル保持具１１ａを分離させる事に対する抵抗を、同じく第二金型１９ａと分離させる事に対する抵抗に比べて、明らかに大きくできる。
【００２４】
以上の通りであるから、前記ニードル保持具１１ａを前記第三金型２０ａの周囲から抜き取る際に、前記円筒状部１４ａの軸方向他端側部分の直径を弾性的に拡げる量は僅少で済む。従って、この円筒状部１４ａの軸方向他端側部分の直径が弾性的に拡がって、前記第三金型２０ａが、前記円筒状部１４ａの軸方向他端側部分から無理なく抜き取られる。この為、前記ニードル保持具１１ａと前記第三金型２０ａとの分離作業は軽い力で、このニードル保持具１１ａの何れの部分にも無理な力を加えずに行える。この結果、射出成形直後の前記ニードル保持具１１ａの、前記金型装置１７ａからの取り出しを、このニードル保持具１１ａを損傷する事なく、安定して行える。
【００２５】
［実施の形態の第２例］
図３〜４は、請求項１に対応する、本発明の実施の形態の第２例を示している。本例の場合には、ニードル保持具１１ｂを構成する補強板部１５ｂを、円輪状としている。即ち、この補強板部１５ｂにより、円筒状部１４ｂの内径側部分のうちの外径寄り部分を塞いでいる。この様な補強板部１５ｂを備えた、前記ニードル保持具１１ｂを射出成形する為に、金型装置１７ｂを構成する第三金型２０ｂの先端面中央部に円形凸部２７を設け、射出成形時にこの円形凸部２７の先端面を、第二金型１９ａの先端面に突き当てている。その他の部分の構成及び作用は、上述した実施の形態の第１例と同様であるから、重複する説明は省略する。
【００２６】
［実施の形態の第３例］
図５〜６は、請求項２に対応する、本発明の実施の形態の第３例を示している。本例のニードル保持具１１ｃの場合には、円筒状部１４ｃの内周面のうち、補強板部１５ａよりも軸方向一端側部分（図５〜６の右側部分）を、この補強板部１５ａ寄りの奥端側から前記円筒状部１４ｃの一端側開口に向かうに従って内径が漸次大きくなる方向に傾斜したテーパ面２８としている。これに対して、前記補強板部１５ａよりも軸方向他端側部分（図５〜６の左側部分で、奥端外周縁の面取り部を除く部分）を、この補強板部１５ａ寄りの奥端側から前記円筒状部１４ｃの他端側開口に向かうに従って内径が変化しない、特許請求の範囲に記載した内側円筒面に相当する円筒面２９としている。
【００２７】
上述の様な本例のニードル保持具１１ｃを射出成形する為の金型装置１７ｃの構造は、第一、第二両金型１８ａ、１９ａの形状に関しては、先に述べた実施の形態の第１〜２例と同様である。特に本例の場合には、第三金型２０ｃとして、先端部まで外径寸法が変化しない（先端外周縁の面取り部を除く）、単なる円柱状のものを使用している。
この様な本例の場合、前記第二金型１９ａと前記テーパ面２８との間に抜き勾配が存在するので、この第二金型１９ａと前記ニードル保持具１１ｃとの分離を円滑に行える。これに対して、このニードル保持具１１ｃと前記第三金型２０ｃとの間には抜き勾配が存在しないので、これらニードル保持具１１ｃと第三金型２０ｃとの分離には、或る程度の抵抗を生じる。この為、本例の場合も、射出成形直後の前記ニードル保持具１１ｃの、前記金型装置１７ｃからの取り出しを、このニードル保持具１１ｃを損傷する事なく、安定して（取り出し方向を一定にして）行える。
【００２８】
［参考例］
図７〜８は、本発明に関連する参考例を示している。本参考例のニードル保持具１１ｄの場合には、円筒状部１４ｄの内周面を、補強板部１５ａの両側部分（奥端周縁部の面取り部分を除く）で、何れもこの補強板部１５ａ寄りの奥端側から前記円筒状部１４ｄの端部開口に向かうに従って内径が変化しない円筒面２９ａ、２９ｂとしている。そして、前記補強板部１５ａよりも軸方向一端側部分の内周面である、前記円筒面２９ｂの表面粗さの値に比べて、同じく他端側部分の内周面である、前記円筒面２９ａの表面粗さの値を大きくしている。
【００２９】
上述の様な本参考例のニードル保持具１１ｄを射出成形する為の金型装置１７ｄの構造は、第一金型１８ａの形状に関しては、先に述べた実施の形態の第１〜３例と同様である。特に本参考例の場合には、第二金型１９ｂのうちで前記円筒面２９ｂを形成する為の円形凸部３０部分、及び前記円筒面２９ａを形成する為の第三金型２０ｄの先端部を、何れも外径寸法が変化しない（先端外周縁の面取り部を除く）形状としている。但し、前記第三金型２０ｄの先端部外周面には、ショットブラスト等の表面粗さの値を大きくする処理を施している。これに対して、前記円形凸部３０の外周面は、研磨加工により平滑面としている。
【００３０】
この様な本参考例の場合、前記円形凸部３０の外周面が平滑面である為、この円形凸部３０を設けた第二金型１９ｂと前記ニードル保持具１１ｄとの分離を円滑に行える。これに対して、前記第三金型２０ｄの先端部外周面は、表面粗さの値が大きい粗面である為、この第三金型２０ｄと前記ニードル保持具１１ｄとの分離には、或る程度の抵抗を生じる。この為、本参考例の場合も、射出成形直後のこのニードル保持具１１ｄの、前記金型装置１７ｄからの取り出しを、このニードル保持具１１ｄを損傷する事なく、安定して行える。尚、本参考例及び上記した実施の形態の第３例の場合、第二、第三両金型１８ａ、２０ｃ、２０ｄを一体とする事もできる。
【産業上の利用可能性】
【００３１】
本発明のニードル保持具を使用してカムフォロアを組み付けるロッカーアームの構造は特に問わない。前述の図９に示した様な、長さ方向中間部に設置する構造の他、長さ方向端部に設置する構造を組み立てる為に適用する事もできる。
更に、請求項１、２に記載した発明の様に、両側の傾斜角度を異ならせる発明と、両側の面粗さを異ならせる発明とを組み合わせて実施する（傾斜角度の面から抜き抵抗が大きな側の面粗さを大きくして、より抜きにくくする）事もできる。
【符号の説明】
【００３２】
１    ロッカーアーム
２    カムシャフト
３    ラッシュアジャスタ
４    弁杆
５    支持軸
６    カムフォロア
７    ラジアルニードル軸受
８    カム
９    ニードル
１０    側板部
１１、１１ａ、１１ｂ、１１ｃ、１１ｄ  ニードル保持具
１２    カムフォロアユニット
１３    支持孔
１４、１４ａ、１４ｂ、１４ｃ、１４ｄ  円筒状部
１５、１５ａ、１５ｂ  補強板部
１６    突条部
１７、１７ａ、１７ｂ、１７ｃ、１７ｄ  金型装置
１８、１８ａ  第一金型
１９、１９ａ、１９ｂ  第二金型
２０、２０ａ、２０ｂ、２０ｃ、２０ｄ  第三金型
２１    凹溝
２２、２２ａ、２２ｂ  キャビティ
２３    円筒面
２４    ガイドテーパ面
２５    第一テーパ面
２６    第二テーパ面
２７    円形凸部
２８    テーパ面
２９、２９ａ、２９ｂ  円筒面
３０    円形凸部
【図１】
0006041017.tif 000002
【図２】
0006041017.tif 000003
【図３】
0006041017.tif 000004
【図４】
0006041017.tif 000005
【図５】
0006041017.tif 000006
【図６】
0006041017.tif 000007
【図７】
0006041017.tif 000008
【図８】
0006041017.tif 000009
【図９】
0006041017.tif 000010
【図１０】
0006041017.tif 000011
【図１１】
0006041017.tif 000012